【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
外部メモリを着脱可能な印刷装置であって、
前記印刷装置に装着された外部メモリに記憶されたデータ、及び記憶手段に記憶された印刷データを印刷出力することが可能な印刷手段と、
前記記憶手段に記憶された印刷データを前記印刷装置に装着された外部メモリへ転送する転送手段と、
前記印刷手段が印刷出力を実行することができない状態において外部メモリが前記印刷装置に装着されたならば、前記記憶手段に記憶されている未だ印刷出力が完了していない印刷データを前記外部メモリに転送させるよう前記転送手段を制御し、前記印刷手段が印刷出力を実行することができる状態において外部メモリが前記印刷装置に装着されたならば、前記外部メモリに記憶されたデータを印刷出力するよう前記印刷手段を制御する制御手段と、を備えることを特徴とする印刷装置。
【請求項２】
前記記憶手段に記憶された印刷データは、当該印刷データに基づく印刷を指示したユーザを特定するユーザＩＤを含み、
前記転送手段は、前記印刷装置に装着された外部メモリに記憶されたユーザＩＤと同じユーザＩＤを含む印刷データを前記外部メモリに転送することを特徴とする、請求項１に記載の印刷装置。
【請求項３】
前記印刷装置が印刷出力をすることが可能な状態において装着された外部メモリに、他の印刷装置が備える転送手段によって転送された印刷データが記憶されている場合、前記印刷手段は前記外部メモリに記憶された前記他の印刷装置によって転送された印刷データに基づく印刷出力を実行することを特徴とする、請求項１または２に記載の印刷装置。
【請求項４】
外部メモリを着脱可能な印刷装置であって、
前記印刷装置の状態を検出する検出手段と、
前記印刷装置に装着された外部メモリに記憶されているデータの内容を確認する確認手段と、
前記検出手段が検出した前記印刷装置の状態と、前記確認手段が確認した前記外部メモリに記憶されているデータの内容の少なくともいずれかに基づいて、前記印刷装置が実行可能な前記外部メモリを用いて行うことが可能な複数の処理のうち、実行すべき処理を決定する決定手段と、
前記決定手段が決定した処理を実行する実行手段と、を備えることを特徴とする印刷装置。
【請求項５】
前記決定手段は、前記印刷装置の状態がエラー状態である場合、前記印刷装置に記憶されている未だ印刷が完了していない印刷データを前記外部メモリに記憶させる処理を、前記実行すべき処理として決定することを特徴とする、請求項４に記載の印刷装置。
【請求項６】
前記決定手段は、前記印刷装置の状態がエラー状態である場合、エラーの種類に応じて、前記実行すべき処理を決定することを特徴とする、請求項４に記載の印刷装置。
【請求項７】
前記決定手段は、前記印刷装置が正常状態であり前記外部メモリに印刷すべきデータが記憶されている場合には、前記外部メモリに記憶されたデータに基づいて印刷出力を行う処理を、前記実行すべき処理として決定することを特徴とする、請求項４に記載の印刷装置。
【請求項８】
外部メモリを着脱可能であり、装着された外部メモリに記憶されたデータと記憶手段に記憶された印刷データとを印刷出力することが可能な印刷手段と、前記記憶手段に記憶された印刷データを前記装着された外部メモリへ転送する転送手段とを有する印刷装置の制御方法であって、
前記印刷手段が印刷出力を実行することができない状態において外部メモリが前記印刷装置に装着されたならば、前記記憶手段に記憶されている未だ印刷出力が完了していない印刷データを前記外部メモリに転送させるよう前記転送手段を制御し、前記印刷手段が印刷出力を実行することができる状態において外部メモリが前記印刷装置に装着されたならば、前記外部メモリに記憶されたデータを印刷出力するよう前記印刷手段を制御する制御工程を有することを特徴とする印刷装置の制御方法。
【請求項９】
外部メモリを着脱可能な印刷装置の制御方法であって、
前記印刷装置の状態を検出する検出工程と、
前記印刷装置に装着された外部メモリに記憶されているデータの内容を確認する確認工程と、
前記検出工程で検出した前記印刷装置の状態と、前記確認工程で確認した前記外部メモリに記憶されているデータの内容の少なくともいずれかに基づいて、前記印刷装置が実行可能な前記外部メモリを用いて行うことが可能な複数の処理のうち、実行すべき処理を決定する決定工程と、
前記決定工程で決定した処理を実行する実行工程と、を有することを特徴とする印刷装置の制御方法。
【請求項１０】
外部メモリを着脱可能であり、装着された外部メモリに記憶されたデータと記憶手段に記憶された印刷データとを印刷出力することが可能な印刷手段と、前記記憶手段に記憶された印刷データを前記装着された外部メモリへ転送する転送手段とを有する印刷装置の制御方法を前記印刷装置に実行させるための制御プログラムであって、前記制御方法は、
前記印刷手段が印刷出力を実行することができない状態において外部メモリが前記印刷装置に装着されたならば、前記記憶手段に記憶されている未だ印刷出力が完了していない印刷データを前記外部メモリに転送させるよう前記転送手段を制御し、前記印刷手段が印刷出力を実行することができる状態において外部メモリが前記印刷装置に装着されたならば、前記外部メモリに記憶されたデータを印刷出力するよう前記印刷手段を制御する制御工程を有することを特徴とする制御プログラム。
【請求項１１】
外部メモリを着脱可能な印刷装置における制御方法を前記印刷装置に実行させるための制御プログラムであって、前記制御方法は、
前記印刷装置の状態を検出する検出工程と、
前記印刷装置に装着された外部メモリに記憶されているデータの内容を確認する確認工程と、
前記検出工程で検出した前記印刷装置の状態と、前記確認工程で確認した前記外部メモリに記憶されているデータの内容の少なくともいずれかに基づいて、前記印刷装置が実行可能な前記外部メモリを用いて行うことが可能な複数の処理のうち、実行すべき処理を決定する決定工程と、
前記決定工程で決定した処理を実行する実行工程と、を有することを特徴とする制御プログラム。
【手続補正２】
【補正対象書類名】明細書
【補正対象項目名】発明の名称
【補正方法】変更
【補正の内容】
【発明の名称】印刷装置及びその制御方法、並びにプログラム
【手続補正３】
【補正対象書類名】明細書
【補正対象項目名】０００１
【補正方法】変更
【補正の内容】
【０００１】
本発明は、着脱式のメモリ媒体に関連する機能を有する印刷装置及びその制御方法等に関する。
【手続補正４】
【補正対象書類名】明細書
【補正対象項目名】００１０
【補正方法】変更
【補正の内容】
【００１０】
上記目的を達成するために、請求項１記載の印刷装置は、外部メモリを着脱可能な印刷装置であって、前記印刷装置に装着された外部メモリに記憶されたデータ、及び記憶手段に記憶された印刷データを印刷出力することが可能な印刷手段と、前記記憶手段に記憶された印刷データを前記印刷装置に装着された外部メモリへ転送する転送手段と、前記印刷手段が印刷出力を実行することができない状態において外部メモリが前記印刷装置に装着されたならば、前記記憶手段に記憶されている未だ印刷出力が完了していない印刷データを前記外部メモリに転送させるよう前記転送手段を制御し、前記印刷手段が印刷出力を実行することができる状態において外部メモリが前記印刷装置に装着されたならば、前記外部メモリに記憶されたデータを印刷出力するよう前記印刷手段を制御する制御手段と、を備えることを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】